(57)【要約】      （修正有）【課題】軽量な板紙または段ボールを使用しながら、強度があり、しかも外観が優れた収納体を提供する。【解決手段】背板１４、天板１１、底板１２および両側板１３，１３を有し前面に開口部を備えた板紙製または段ボール製の収納体本体１の少なくとも外面に布および／または和紙が貼着され、さらに貼着された布または和紙の表面に柿渋塗膜が形成されている収納体１００を用い、前記開口部より出し入れ可能な板紙製または段ボール製の引出し２を備える。引き出しにもその表面に布および／または和紙が貼着され、さらに貼着された布または和紙の表面に柿渋塗膜が形成されている。【選択図】図１
0003187236.tif 000002
【実用新案登録請求の範囲】
【請求項１】
背板、天板、底板および両側板を有し前面に開口部を備えた板紙製または段ボール製の収納体本体の少なくとも外面に布および／または和紙が貼着され、さらに貼着された布または和紙の表面に柿渋塗膜が形成されていることを特徴とする収納体。
【請求項２】
前記開口部より出し入れ可能な引出しを備え、この引出しは本体が板紙製または段ボール製であり、その表面に布および／または和紙が貼着され、さらに貼着された布または和紙の表面に柿渋塗膜が形成された請求項１記載の収納体。
【請求項３】
前記収納体本体は、天板部、底板部および両側板が角筒体に形成され、かつ天板部、底板部、両側板のいずれか一つの後端に折り曲げ部を介して背板部が連結して形成された板紙または段ボールを、前記折り曲げ部で背板部を折り曲げ、前記角筒体の後部開口を閉じて組み立てられる請求項１に記載の収納体。
【請求項４】
背板部、天板部、底板部および両側板を有し、前記天板部、底板部および両側板が角筒体に形成され、かつ天板部、底板部、両側板のいずれか一つの後端に折り曲げ部を介して背板部が連結して形成された収納体本体組み立て用の板紙または段ボールと、
前記折り曲げ部で背板部を折り曲げ、前記角筒体の後部開口を閉じて組み立てた収納体本体の少なくとも外面に貼着される布および／または和紙と、
前記収納体本体に貼着された布および／または和紙の表面に塗布されて柿渋塗膜を形成する柿渋溶液と
を備えた収納体の製作キット。
【考案の詳細な説明】
【技術分野】
【０００１】
本考案は、板紙または段ボールを使用した、軽量で強度があり、しかも外観が優れた収納体に関する。
【背景技術】
【０００２】
従来から、前面に開口部を有する箱状の収納体は、例えば、衣類、雑貨、本、ＤＶＤ等の収納に多く用いられ、本体の大きさや形状、また引出しの数や配置等の異なる様々なものが商品化されてきた。
また、このような収納体は、その材質に木材、合成樹脂、金属、紙等があげられるが、軽量で製造コストが安く、更に廃棄しやすいといった点から近年板紙製または段ボール製の収納体の使用が増加している。
【０００３】
しかしながら、板紙製または段ボール製の収納体は強度が弱く、更に人目につく空間や場所に設置した場合、板紙または段ボールが露出したままだと外観上の問題があった。
この外観の問題を解決する手段としては、特許文献１には、外装シートで段ボール製のボックス本体を覆い、さらに外装シートとボックス本体とを接着することが提案されている。
【先行技術文献】
【特許文献】
【０００４】
【特許文献１】特開２００９−４６１８５号公報
【考案の概要】
【考案が解決しようとする課題】
【０００５】
特許文献１には外装シートとして、ビニールレザー、合成樹脂製のシート、合成皮革、綿布、合成繊維布、麻布、絹、デニム、帆布、レース、サテン、スエードなどの布状のものが開示されている。
しかし、上記した外装シートを使用した場合、ボックス本体が段ボール製であるため強度に劣るという問題がある。
本考案は、軽量な板紙または段ボールを使用しながら、強度があり、しかも外観が優れた収納体を提供することを目的とする。
【課題を解決するための手段】
【０００６】
本考案者は、上記課題を解決すべく鋭意研究を重ねた結果、本考案を完成するに至った。すなわち、本考案の収納体は、以下の構成を有する。
（１）背板、天板、底板および両側板を有し前面に開口部を備えた板紙製または段ボール製の収納体本体の少なくとも外面に布および／または和紙が貼着され、さらに貼着された布または和紙の表面に柿渋塗膜が形成されていることを特徴とする収納体。
（２）前記開口部より出し入れ可能な引出しを備え、この引出しは本体が板紙製または段ボール製であり、その表面に布および／または和紙が貼着され、さらに貼着された布または和紙の表面に柿渋塗膜が形成された（１）記載の収納体。
（３）前記収納体本体は、天板部、底板部および両側板が角筒体に形成され、かつ天板部、底板部、両側板のいずれか一つの後端に折り曲げ部を介して背板部が連結して形成された板紙または段ボールを、前記折り曲げ部で背板部を折り曲げ、前記角筒体の後部開口を閉じて組み立てられる（１）に記載の収納体。
（４）背板部、天板部、底板部および両側板を有し、前記天板部、底板部および両側板が角筒体に形成され、かつ天板部、底板部、両側板のいずれか一つの後端に折り曲げ部を介して背板部が連結して形成された収納体本体組み立て用の板紙または段ボールと、前記折り曲げ部で背板部を折り曲げ、前記角筒体の後部開口を閉じて組み立てた収納体本体の少なくとも外面に貼着される布および／または和紙と、前記収納体本体に貼着された布および／または和紙の表面に塗布されて柿渋塗膜を形成する柿渋溶液とを備えた収納体の製作キット。
【考案の効果】
【０００７】
本考案の収納体によれば、板紙製または段ボール製の収納体本体の外面に布および／または和紙を貼着し、この表面に柿渋塗膜が形成されているので、軽量であるにもかかわらず、簡単に強度を付与することができ、更に外観も民芸品（伝統工芸品）のような独特の風合を持つようになる。
また、前記収納体は、収納体本体の板紙または段ボールと、この収納体本体の少なくとも外面に貼着される布および／または和紙と、柿渋溶液とを備えた収納体の製作キットを用いれば、誰でも簡単に組み立てることができるという効果もある。
【図面の簡単な説明】
【０００８】
【図１】本考案の一実施形態に係る収納体の斜視図である。
【図２】図１に示す収納体本体の展開図である。
【図３】（ａ）〜（ｄ）は図２の収納体本体の組み立て手順を示す説明図である。
【図４】本考案の一実施形態に係る引出しの斜視図である。
【図５】本考案の他の実施形態に係る収納体の斜視図である。
【考案を実施するための形態】
【０００９】
図１に示すように、本考案の一実施形態に係る収納体１００は、背板１４、天板１１、底板１２および両側板１３，１３から構成され、少なくとも前方に開口部を有する箱状の収納体本体１の表面に、布および／または和紙を貼着し、さらにこの布および／または和紙の表面に柿渋塗膜を形成したものである。前記収納体１００の前面開口には、把手となる切欠き部４が設けられた引出し２，２が収納される。２つの引出し２，２を上下にそれぞれ収納するために前記収納体本体１内の中央には仕切り板３が設けられている。
【００１０】
＜収納体本体＞
図２は、段ボールからなる収納体本体１を展開した状態を示している。図２に示すように収納体本体１は、天板部１１１、底板部１１２、および２つの側板部１１３，１１３が連続的に折り曲げ部１４０を介して形成される。
また、底板部１１２の後端には折り曲げ部１４１を介して背板部１１４が形成される。底板部１１２の端部には糊しろ２４が形成されており、この糊しろ２４で上端の側板部１１３と下端の底板部１１２とを、接着剤で接合し角筒体を形成する。
【００１１】
図２に示すように、天板部１１１の前端には補強板１５が折り曲げ部１４２を介して連結され、また前記天板部１１１の後端には爪１９が設けられる。
同様に、前記底板部１１２の前端には折り曲げ部１４２を介して補強板１５が連結され、後端には折り曲げ部１４１を介して背板部１１４が連結される。この背板部１１４の一辺には天板部１１１の前記爪１９を挿入する孔部１８を有する差し込み片１７が連結される。
【００１２】
前記収納体本体１の天板部１１１と底板部１１２の前端に連結される補強板１５は、収納体本体１を組み立てる際に折り曲げ部１４２にて開口部内側へ折り曲げて、収納体本体１の開口部周囲の美観向上と収納体本体１を補強する役割を有する。
【００１３】
前記収納体本体１の２つの側板部１１３，１１３の前端に折り曲げ部１４４を介して補強板１６が設けられる。この補強板１６は前記補強板１５と同様に、収納体本体１を組み立てる際に開口部内側へ折り曲げて主に収納体本体１の開口部周囲の美観向上と収納体本体１を補強する役割を有する。
補強板１６、１６には、収納体本体１に２つの引出し２，２を収納するための仕切り板３を支持するためのスリット２１がそれぞれ設けられている。また、引出し２が多段ある場合、このスリット２１も複数形成されていてもよい。
さらに、前記収納体本体１の２つの側板部１１３，１１３の後端には、折り曲げ部１４３を介して背部側横板部２０，２０が連結される。
【００１４】
前記補強板１５，１５は、両辺に切欠き凹部１１５を少なくとも１箇所有しており、前記補強板１６，１６の両辺には、前記切欠き凹部１１５に嵌入される突片１１６が前記切欠き凹部１１５に対応する位置に設けられている。
前記補強板１５，１６は、収納体本体１の開口部内側へ折り曲げた前記補強板１５の切欠き凹部１１５に、前記補強板１６の突片１１６を嵌入させて収納体本体１内部にて固定される。
【００１５】
＜収納体本体の組み立て方法＞
次に図３（ａ）〜（ｄ）を用いて本考案に係る収納体本体１の組み立て方法を説明する。
図３（ａ）に示すように、天板部１１１、底板部１１２，両側板部１１３，１１３を折り曲げ部１４０で折り曲げ、さらに糊しろ２４で底板部１１２と一方の側板部１１３とを接着して収納体本体１を角筒体とする。このとき、角筒体となった前記収納体本体１は、前記背板部１１４が設けられた側に後方開口部２３、その反対側に前方開口部２２を有する状態となる。前記前方開口部２２は、前記収納体本体１を組み立てた際に収納体本体１の開口部となる。
【００１６】
次に、図３（ｂ）に示すように、収納体本体１の両側板部１１３，１１３のそれぞれの後端に設けた背部側横板部２０，２０を折り曲げ部１４３で後方開口部２３へ向かって矢印に示すよう折り曲げた後、背板部１１４を折り曲げ部１４１で折り曲げて持ち上げる。
さらに、図３（ｃ）に示すように、背板部１１４の差し込み片１７を曲げて天板部１１１と背部側横板部２０，２０の上端に生じた隙間に差し込み、天板部１１１に設けた爪１９を前記差し込み片１７の孔部１８へ差し込む。これにより、背板部１１４により後方開口部２３が閉ざされた状態となる。
【００１７】
一方、図３（ｃ）に示すように、前方開口部２２の両側部にある補強板１５，１６をそれぞれ折り曲げ部１４２、１４４で内方に折り曲げる。
補強板１５，１６を前方開口部２２の内方へ折り曲げる際、まず、切欠き凹部１１５を設けた補強板１５，１５を収納体本体１の内面に当たるまで折り曲げ部１４２で折り曲げて、次に突片１１６を設けた補強板１６，１６を折り曲げ部１４４で折り曲げて、切欠き凹部１１５に突片１１６を嵌入させて、補強板１５，１６を収納体本体１内にて固定する。これにより、図３（ｄ）に示すような収納体本体１が完成する。
なお、完成した前記収納体本体１には、仕切り板３を設けて、複数の引出しを収納することもできる。
【００１８】
以上のようにして組み立てた収納体本体１は、この後、少なくともその外面を被覆された布および／または和紙と接着剤で接着された後、柿渋溶液を塗布され、乾燥させて完成する。
【００１９】
＜布、和紙＞
前記収納体本体１の少なくとも外面には、布および／または和紙が貼着される。すなわち、使用者は、収納体１００を設置する空間や場所等に応じて、収納体本体１に布と和紙を組み合わせて貼着するか、あるいは、布または和紙を単独で貼着するかを選択することができる。
【００２０】
このような布および／または和紙を収納体本体１の外面に貼着する方法としては、収納体本体１の背板、天板、底板および両側板の各面に合わせてカットしたものを貼着する方法や、大判の布および／または和紙で収納体本体１全体を被覆するように貼着して、余った部分を切断するか、あるいは収納体本体１の内側へ折り返して内壁面に固定する方法等がある。
あるいは、ランダムな大きさにカットした複数の布または和紙を収納体本体１が隠れるように収納体本体１の表面に適宜貼着してもよい。
【００２１】
前記布および和紙の材質や原材料は特に制限されず、布の場合、織り物、編み物等の織布、フェルト等の不織布を用い、また和紙の場合、麻、梶の木、雁皮、楮等を原料とするものを用いればよい。
【００２２】
＜柿渋塗膜＞
前記布および／または和紙を収納体本体１に貼着した後、柿渋溶液を筆や刷毛、スプレー等を用いて収納体本体１へ塗布する。柿渋は乾燥すると、塗布された前記布および／または和紙の表面にて、成分のカキタンニンが硬い強固な皮膜（柿渋塗膜）を形成する。これによって、収納体本体１の強度が向上し、更に外観も民芸品（伝統工芸品）のような独特の風合を持つようになる。
【００２３】
前記柿渋塗膜は、柿渋特有の発色の良さだけでなく、柿渋が有する抗菌性、防臭性、防水性、さらに強度を付与して腰のある仕上がりにすることができる。
なお、柿渋は塗布の回数を重ねる度、その色が濃くなり、また時間と共にゆっくりと発色するので、連続して塗布するよりも暫く時間をおいてから再度塗布するのがよく、一般的には２〜３回重ね塗りするのが好ましい。
【００２４】
＜引出し＞
図４に示す引出し２は、上方が開口し、前方に把手となる切欠き部４を有する。このような引出し２は、図１に示すように前記収納体本体１の開口部より出し入れ可能に収納されるものである。
素材としては収納体本体１と同様に段ボールを使用し、これを組み立てたものがよい。
【００２５】
この引出し２にも、前記収納体本体１と同様に布および／または和紙を被覆して貼着した後、柿渋溶液を塗布すると、強度が向上し、更に外観も優れた引出しとすることができる。
【００２６】
また、前記引出し２は、収納体本体１に収納でき、その開口部から出し入れ可能なものであれば、形状は特に制限されず、例えば図５に示すような、１段の引出し２’であってもよい。
【００２７】
＜製作キット＞
背板部１１４、天板部１１１、底板部１１２および両側板１１３，１１３を有し、前記天板部１１１、底板部１１２および両側板１１３，１１３が角筒体に形成され、かつ天板部１１１、底板部１１２、両側板１１３，１１３のいずれか一つの後端に折り曲げ部１４１を介して背板部１１４が連結して形成された収納体本体１組み立て用の板紙または段ボールと、組み立てた収納体本体１の少なくとも外面に貼着される布および／または和紙と、前記収納体本体１に貼着された布および／または和紙の表面に塗布されて柿渋塗膜を形成する柿渋溶液とを組み合わせて、収納体の製作キットとすることができる。
この製作キットを使用すれば、使用者は、先述した収納体１００を簡単に作成することができる。
【００２８】
前記収納体本体１の大きさは特に限定されず、大型から小型のものまで作成することができ、さらに収納体本体１同士を上下に積み重ねたり、左右に並べたりして使用することもできる。
また、収納体本体１や引出し２、さらにそれらの製作キットは、段ボールに限らず、板紙（厚紙）を用いて形成してもよい。
【符号の説明】
【００２９】
１  収納体本体
２  引出し
３  仕切り板
４  切欠き部
１１  天板
１２  底板
１３  側板
１４  背板
１５、１６  補強板
１７  差し込み片
１８  孔部
１９  爪
２０  背部側横板部
２１  スリット
２２  前方開口部
２３  後方開口部
２４  糊しろ
１００  収納体
１１１  天板部
１１２  底板部
１１３  側板部
１１４  背板部
１１５  切欠き凹部
１１６  突片
１４０，１４１，１４２，１４３，１４４  折り曲げ部
【図１】
0003187236.tif 000003
【図２】
0003187236.tif 000004
【図３】
0003187236.tif 000005
【図４】
0003187236.tif 000006
【図５】
0003187236.tif 000007